(57)【要約】【課題】  鍵盤装置において、フレーム側ストッパ部の成型精度または組み付け精度が多少良好でなくても、鍵の前端部の上面を高精度で位置決めできるようにする。【解決手段】  鍵盤装置は、鍵１１，１２と、鍵１１，１２の前部が上下方向に揺動するように鍵１１，１２の後端部を支持する鍵フレーム２０とからなる。鍵フレーム２０には、鍵１１，１２の前端部の上限位置を規制する上限ストッパ２４が、鍵１１，１２の前部下方にて固着されている。鍵１１，１２には、前部下面から下方に延設されて、上限ストッパ２４との当接により、鍵１１，１２の前端部の上限位置を決定するストッパ片が一体的に設けられている。ストッパ片１４の突出部１４ａの上面には突状部１４ｂが形成され、その頂点部分は上限ストッパ２４の前後方向の中間部に当接する。【選択図】  図１
2007316172.tif 000002
【特許請求の範囲】
【請求項１】
鍵と、
前記鍵の前部が上下方向に揺動するように前記鍵の後端部を支持する鍵フレームとを備えた鍵盤装置において、
前記鍵の下方にて前記鍵フレームに固着または一体形成され、前記鍵の前端部の上限位置を規制するフレーム側ストッパ部と、
前記鍵の下面から下方に延設されて、前記フレーム側ストッパ部との当接により、前記鍵の前端部の上限位置を規定する鍵側ストッパ部とを設け、
前記フレーム側ストッパ部および鍵側ストッパ部のうちの一方のストッパ部を、その少なくとも前後方向の縦断面形状が突状になるように形成し、かつ前記突状に形成した一方のストッパ部の頂点部分を前記フレーム側ストッパ部および鍵側ストッパ部のうちの他方のストッパ部の前後方向の中間部に当接させるようにしたことを特徴とする鍵盤装置。
【請求項２】
前記突状に形成した一方のストッパ部における頂点部分の前後方向の縦断面形状は、円弧状である請求項１に記載の鍵盤装置。
【請求項３】
前記他方のストッパ部の当接面を、平面状に形成した請求項１または２に記載の鍵盤装置。
【発明の詳細な説明】
【技術分野】
【０００１】
本発明は、電子オルガン、電子ピアノなどの鍵盤楽器に用いられる鍵盤装置に関する。
【背景技術】
【０００２】
この種の鍵盤装置は、一般的に、鍵と、鍵の前部が上下方向に揺動するように鍵の後端部を支持する鍵フレームとからなる（下記特許文献１参照）。図７(Ａ)に詳細に示すように、鍵フレーム１側には、鍵２の前部下方にて鍵フレーム１に固着されて、鍵２の前端部の上限位置を規制するフレーム側ストッパ部３が設けられている。鍵２側には、鍵２の前部下面から下方に一体的に延設されて、フレーム側ストッパ部３との当接により、鍵２の前端部の上限位置を規定する鍵側ストッパ部４が設けられている。そして、これらのフレーム側ストッパ部３および鍵側ストッパ部４の当接面は、共に平面上に形成されている。
【特許文献１】特許第３４４８８５５号公報
【発明の開示】
【０００３】
上記構成の鍵盤装置においては、図７Ａに示すように、フレーム側ストッパ部３が高精度で成型かつ組み付けられていれば、鍵側ストッパ部４の上面とフレーム側ストッパ部３の下面との当接面積が全ての鍵２に対して一定かつ適切であり、フレーム側ストッパ部３に加わる圧力が全ての鍵２に対して同じになるので、全ての鍵２の前端部の上面が高精度に位置決めされる。
【０００４】
しかし、図７Ｂに示すように、フレーム側ストッパ部３の一部が前後にずれて組み付けられていると、この前後にずれたフレーム側ストッパ部３０に対応する鍵２の鍵側ストッパ部４の上面とフレーム側ストッパ部３の下面との当接面積が他の鍵２とは異なることになる。これにより、この前後にずれたフレーム側ストッパ部３に加わる圧力が他の鍵２とは異なり、前後にずれたフレーム側ストッパ部３に対応した鍵２の前端部の上面位置が他の鍵２の上面に対してずれるという問題がある。さらに、前記圧力の変化により、前後にずれたフレーム側ストッパ部３が変形すると、図７Ｃに示すように、鍵側ストッパ部４の上面は、フレーム側ストッパ部３の角部に当接し、前後にずれたフレーム側ストッパ部３に対応した鍵２の前端部の上面位置がさらに上下方向に大きくずれる。実際、フレーム側ストッパ部３は、フェルトなどの弾性部材で長尺状に成型され、鍵盤の幅方向に延設されることが多く、フレーム側ストッパ部３は鍵ごとに前後にずれることがある。
【０００５】
本発明は、このような従来の欠点を解消するためになされたもので、その目的は、フレーム側ストッパ部の成型精度または組み付け精度が多少良好でなくても、鍵の前端部の上面を高精度で位置決めできる鍵盤装置を提供することにある。
【０００６】
前記目的を達成するために、本発明の特徴は、鍵と、鍵の前部が上下方向に揺動するように鍵の後端部を支持する鍵フレームとを備えた鍵盤装置において、鍵の下方にて鍵フレームに固着または一体形成され、鍵の前端部の上限位置を規制するフレーム側ストッパ部と、鍵の下面から下方に延設されて、フレーム側ストッパ部との当接により、鍵の前端部の上限位置を規定する鍵側ストッパ部とを設け、フレーム側ストッパ部および鍵側ストッパ部のうちの一方のストッパ部を、その少なくとも前後方向の縦断面形状が突状になるように形成し、かつ前記突状に形成した一方のストッパ部の頂点部分をフレーム側ストッパ部および鍵側ストッパ部のうちの他方のストッパ部の前後方向の中間部に当接させるようにしたことにある。
【０００７】
この場合、前記突状に形成した一方のストッパ部における頂点部分の前後方向の縦断面形状は、例えば円弧状である。また、前記他方のストッパ部の当接面を、例えば平面状に形成するとよい。
【０００８】
このように構成した本発明においては、フレーム側ストッパ部が高精度に成型または組み付けられていなくても、前記突状に形成した一方のストッパ部を他方のストッパ部の角部に当接させることなく、前記一方のストッパ部の頂点部分を他方のストッパ部の前後方向の中間部に常に当接させることができる。そして、この一方のストッパ部の頂点部分の他方のストッパ部への当接は全ての鍵に対して共通であるので、フレーム側ストッパ部への圧力も全ての鍵に対して同じになり、鍵の前端部の上面を長期間にわたり高精度で位置決めできる。
【発明を実施するための最良の形態】
【０００９】
以下、本発明の一実施形態について図面を用いて説明する。図１は、本発明の一実施形態に係る電子楽器の鍵盤装置の縦断側面図である。この鍵盤装置は、横方向（紙面に垂直方向）に並列に配設された複数の白鍵１１（図では１つのみ示す）と、同じく横方向に配設された複数の黒鍵１２（図では１つのみ示す）とを備えている。白鍵１１に関しては、４音分の白鍵１１からなる白鍵ユニット１１Ａと、３音分の白鍵１１からなる白鍵ユニット１１Ｂとが、それぞれ１オクターブ毎に樹脂により一体成型されて用意される。黒鍵１２に関しては、５音分の黒鍵ユニット１２Ａが、１オクターブ毎に樹脂により一体成型されて用意される。これらの白鍵ユニット１１Ａ，１１Ｂおよび黒鍵ユニット１２Ａは、横方向（紙面に垂直方向）に延設された薄肉の連結部を有する。この連結部には、複数の鍵１１，１２の各後端部が、前後方向（紙面の左右方向）に延設された薄肉部を介して連結されている。
【００１０】
白鍵ユニット１１Ａ，１１Ｂおよび黒鍵ユニット１２Ａは、上下に重ねられて、連結部にて鍵フレーム２０の後端部にねじ２１により固定されている。これにより、複数の鍵１１，１２は、それらの後端部にて、それらの前端部が上下方向に揺動可能に鍵フレーム２０に支持される。鍵フレーム２０は、複数の鍵１１，１２の下方に延設され、金属または樹脂の一体成型により、または金属および樹脂との複合により、適宜凹凸を有する板状に構成された部材である。そして、複数の鍵１１，１２の押鍵時には、それらの薄肉部の変形により、鍵１１，１２の前端部が、鍵フレーム２０に設けた鍵ガイド（図示省略）に沿って下方に変位する。複数の鍵１１，１２の離鍵時には、それらの薄肉部の弾性力により、鍵１１，１２の前端部が上方へ復帰する。
【００１１】
複数の鍵１１，１２の前後方向の中間部下面には、アクチュエータ１３がそれぞれ設けられている。アクチュエータ１３の下方の鍵フレーム２０上には、各鍵１１，１２にそれぞれ対応した鍵スイッチ２２が設けられている。鍵スイッチ２２は、鍵１１，１２の押離鍵を検出する。各鍵１１，１２は、前端部とアクチュエータ１３との間の位置にて、それらの下面からストッパ片１４を下方に一体的に延設させている。このストッパ片１４は、下部を後方へ屈曲させた突出部１４ａを有する。ストッパ片１４の突出部１４ａは、鍵フレーム２０の縦壁部に設けた開口部２３から前方へ侵入し、鍵１１，１２の前部の上下方向の変位を許容する。
【００１２】
前記開口部２３を含む縦壁部の上端から後方へ向かう水平部下面には、上限ストッパ２４が固着されている。一方、前記開口部２３を含む縦壁部の下端から前方へ向かう水平部上面には、下限ストッパ２５が固着されている。上限ストッパ２４および下限ストッパ２５は、横方向（紙面に垂直方向）に延設された長尺状かつ平板状のフェルトで構成されて、鍵１１，１２のストッパ片１４の突出部１４ａとの衝突による衝撃を緩和するようになっている。なお、フェルト以外の材料であっても、鍵１１，１２のストッパ片１４との衝突による衝撃を緩和するものであれば、他の緩衝部材を上限ストッパ２４および下限ストッパ２５として用いるようにしてもよい。
【００１３】
鍵１１，１２は、離鍵時に、ストッパ片１４の突出部１４ａの上面が上限ストッパ２４の下面に当接することにより、上限位置が規定される。また、押鍵時には、鍵１１，１２は、ストッパ片１４の下面が下限ストッパ２５の上面に当接することにより、下限位置が規定される。図２に拡大して示すように、突出部１４ａの上面には、少なくとも前後方向の縦断面形状が突状になる突状部１４ｂが形成されている。ただし、突状部１４ｂの頂点は尖ってはおらず滑らかに形成されている。この場合、突出部１４ａの上面を、前後方向の縦断面形状が横方向（紙面に垂直方向）に常に同一形状になるように、すなわち横方向に均一になるように形成してもよい。また、突出部１４ａの上面を、横方向（紙面に垂直方向）の縦断面形状に関しても突状、すなわち中央部のみが突状になるように形成してもよい。そして、突状部１４ｂの頂点部分を、鍵フレーム２０側の上限ストッパ２４の前後方向の中間部に位置させるようにする。
【００１４】
このように構成した上記実施形態によれば、鍵１１，１２のストッパ片１４の突出部１４ａの上面を、鍵フレーム２０の上限ストッパ２４の角部に当接させることなく、突状部１４ｂの頂点部分を上限ストッパ２４の下面の前後方向の中間部に常に当接させることができる。また、この突状部１４ｂの上限ストッパ２４への当接は、全ての鍵１１，１２に対して共通であるので、上限ストッパ部２４への圧力も全ての鍵に対して同じになる。したがって、上記実施形態においては、上限ストッパ２４が高精度に成型または組み付けられていなくても、鍵１１，１２の前端部の上面を長期間にわたり高精度で位置決めできる。
【００１５】
さらに、本発明の実施にあたっては、上記実施形態に限定されるものではなく、本発明の目的を逸脱しない限りにおいて種々の変更が可能である。
【００１６】
例えば、上記実施形態における鍵１１，１２のストッパ片１４の突状部１４ｂの前後方向の縦断面形状を、図３に示すように円弧状に形成するようにしてもよい。また、前後方向の縦断面形状を円弧状に形成した突状部１４ｂを、図４に示すように、突出部１４ａの上面における後端部のみに形成するようにしてもよい。これらの場合も、突状部１４ｂを、前後方向の円弧状の縦断面形状が横方向（紙面に垂直方向）に常に同一形状になるように、すなわち横方向を軸線方向とする円柱の一側部の形状になるように形成してもよい。また、突状部１４ｂを、横方向（紙面に垂直方向）の縦断面形状に関しても円弧状になるように、すなわち球の一部分の形状になるように形成してもよい。さらに、これらの場合も、突状部１４ｂの頂点部分は、上限ストッパ２４の前後方向の中間部に当接するようにする。このように突状部１４ｂを円弧状に形成することにより、長年の使用によっても、上限ストッパ２４の損傷および変形を防止できる。
【００１７】
また、突出部１４ａの上面を平面状に形成するとともに、上限ストッパ２４の下面における前後方向の縦断面形状を円弧状にするようにしてもよい。この場合、例えば、図５に示すように、鍵フレーム２０の開口部２３の上端から後方に延設された水平部の下面を水平に形成するとともに、上限ストッパ２４の厚さを前後方向の中央部にて厚くかつ前後方向両端部にて薄くなるように形成する。そして、上限ストッパ２４の上面を前記水平部の下面に固着することにより、上限ストッパ２４の下面の前後方向の縦断面形状が円弧状になるように突状部２４ａを形成する。なお、この場合には、上限ストッパ２４の突状部２４ａの頂点部分が、ストッパ片１４の突出部１４ａの付け根から後端部の中間に位置する平面部に当接するようにする。
【００１８】
また、図６に示すように、鍵フレーム２０の開口部２３の上端から後方に延設された水平部の下面の前後方向の縦断面形状を下方に突出した円弧状に形成するとともに、上限ストッパ２４の厚さを前後方向において一定とする。そして、上限ストッパ２４の上面を鍵フレーム２０の前記円弧状に形成した下面に沿って固着することにより、上限ストッパ２４の下面の前後方向の縦断面形状を円弧状にして突状部２４ａを形成する。なお、この場合にも、上限ストッパ２４の突状部２４ａの頂点部分が、突出部１４ａの付け根から後端部の中間に位置する平面部に当接するようにする。
【００１９】
このように構成した各種変形例においても、鍵１１，１２における突出部１４ａの上面が、鍵フレーム２０の上限ストッパ２４の角部に当接することを回避できる。すなわち、図３，４の場合には、鍵１１，１２におけるストッパ片１４の突状部１４ｂの頂点部分を上限ストッパ２４の下面の前後方向の中間部に常に当接させることができる。また、図５，６の場合には、鍵１１，１２における突出部１４ａの上面は、上限ストッパ２４の前後方向の中間部であって、円弧状に形成した突状部２４ａの頂点部分に常に当接する。そして、前記ストッパ片１４と上限ストッパ２４との当接は、全ての鍵１１，１２に対して共通であるので、上限ストッパ２４への圧力も全ての鍵に対して同じになる。したがって、これらの変形例によっても、上記実施形態の場合と同様に、上限ストッパ２４が高精度に成型または組み付けられていなくても、鍵１１，１２の前端部の上面を長期間にわたり高精度で位置決めできる。
【００２０】
また、上記実施形態においては、上限ストッパ２４および下限ストッパ２５をフェルトで構成して緩衝機能を持たせるようにしたが、鍵１１，１２のストッパ片１４ａの突出部の上面および下面にフェルトなどの緩衝部材を設けるようしてもよい。この場合には、上限ストッパ２４および下限ストッパ２５を鍵フレーム２０自体で構成できる。
【００２１】
また、上記実施形態においては、複数の白鍵１１，１１および黒鍵１２を白鍵ユニット１１Ａ，１１Ｂおよび黒鍵ユニット１２Ａとして一体成形するようにしたが、複数の白鍵１１，１１および黒鍵１２を鍵ごとに成形するようにしてもよい。
【００２２】
さらに、上記実施形態においては、複数の鍵１１，１２の離鍵時にそれらの薄肉部の弾性力により、鍵１１，１２の前端部が上方位置に復帰するようにした。しかし、これに代えて、鍵１１，１２の下方に設けたスプリングのばね力または鍵１１，１２の下方に設けた質量体（すなわち錘、ハンマーなど）を有する揺動レバーの自重により、鍵１１，１２の前端部を上方位置に復帰させるようにしてもよい。
【図面の簡単な説明】
【００２３】
【図１】本発明の一実施形態に係る鍵盤装置の側面図である。
【図２】図１の鍵のストッパ部および鍵フレームのストッパ部の拡大側面図である。
【図３】変形例に係る鍵のストッパ部および鍵フレームのストッパ部の拡大側面図である。
【図４】他の変形例に係る鍵のストッパ部および鍵フレームのストッパ部の拡大側面図である。
【図５】他の変形例に係る鍵のストッパ部および鍵フレームのストッパ部の拡大側面図である。
【図６】他の変形例に係る鍵のストッパ部および鍵フレームのストッパ部の拡大側面図である。
【図７Ａ】従来例に係る鍵のストッパ部および鍵フレームのストッパ部の正常状態を示す側面図である。
【図７Ｂ】従来例に係る鍵のストッパ部および鍵フレームのストッパ部の異常状態を示す側面図である。
【図７Ｃ】従来例に係る鍵のストッパ部および鍵フレームのストッパ部の他の異常状態を示す側面図である。
【符号の説明】
【００２４】
１１…白鍵、１２…鍵、１４…ストッパ片、１４ａ…突出部、１４ｂ…突状部、２０…鍵フレーム、２３…開口部、２４…上限ストッパ、２４ａ…突状部、２５…下限ストッパ
【図１】
2007316172.tif 000003
【図２】
2007316172.tif 000004
【図３】
2007316172.tif 000005
【図４】
2007316172.tif 000006
【図５】
2007316172.tif 000007
【図６】
2007316172.tif 000008
【図７Ａ】
2007316172.tif 000009
【図７Ｂ】
2007316172.tif 000010
【図７Ｃ】
2007316172.tif 000011